(57)【要約】【課題】この発明は、砂利採掘などによる環境破壊を未然に防止すると共に、サイクル処理により合理化を図ることを目的としたものである。【解決手段】この発明は、建設排出物を処理工場に運搬し、物理処理又は化学処理して埋め戻し用、その他の土木関連土用、田畑用の農材関連土用、建設用材及び工業用水に分離することを特徴とした建設排出物の処理方法により目的を達成した。【選択図】　　　図１
2004000929.tif 000002
【特許請求の範囲】
【請求項１】
建設排出物を処理工場に運送し、物理処理又は化学処理して、処理物を埋め戻し用、その他の土木関連土用、田畑用の農材関連土用、建設用材及び工業用水に分離することを特徴とした建設排出物の処理方法。
【請求項２】
建設排出物は、無害で排出元の明確な建設残土、又は建設汚泥とすることを特徴とした請求項１記載の建設排出物の処理方法。
【請求項３】
物理処理は、分級処理、脱水処理、固化処理、分別処理及び精製処理してリサイクルすることを特徴とした請求項１記載の建設排出物の処理方法。
【請求項４】
化学処理はｐＨ調整、調質処理又は高分子凝集剤などによる粒状化沈殿とすることを特徴とした請求項１記載の建設排出物の処理方法。
【請求項５】
砂利、砂の採掘量及びその運送量と各建設現場における排出物の量及び運送量と、前記排出物の処理量及び運送量等をマスターコンピュータに入力蓄積し、前記各運送等を制御配分して過不足なく配送すると共に、建設資材の供給と、砂利穴の埋め戻し、又は埋立造成などの環境整備を系統的、かつ補完的に実施できるようにしたことを特徴とする建設排出物の処理システム。
【請求項６】
砂利、砂などの建設資材の運送の復路に、建設排出物を積み込んで処理工場に運送し、該処理工場から出た処理土砂を砂利採掘により生じた穴の埋め戻し現場に運送することを特徴とした請求項５記載の建設排出物の処理システム。
【請求項７】
処理工場の余剰処理土砂は、インターネットを介して希望者を募集し、応募者に運送することを特徴とした請求項６記載の建設排出物の処理システム。
【請求項８】
請求項５記載の処理システムを１ブロックとし、該ブロックの複数ブロックを夫々地域別に立ち上げ、前記複数ブロックの情報収集機構及びコントロール機構を結合して総合情報センターとしたことを特徴とする建設排出物の処理システム。
【発明の詳細な説明】
【０００１】
【発明の属する技術分野】
この発明は、砂利等の採掘場、建設現場の排出物及び排出物から得た処理物の有効利用によるリサイクル、環境保全並びに運送経済を図ることを目的とした建設排出物の処理方法及び処理システムに関する。
【０００２】
【従来の技術】
従来建設排出物は、廃棄物として投棄処理し、一部は加工して有効利用するなどの方法が知られていた。例えば、産業廃棄物を槽内に投入し、セメント等のバインダと、石炭灰とを混練して粒状材料とし、この粒状材料を道路、公園又は農地などに使用されている
【０００３】
【特許文献】特開平７−２６５８３７
【０００４】
【発明により解決しようとする課題】
前記従来の処理により得た粒状材料は、道路敷設その他に使用されているが、適切な使用量の変動と、建設排出物の厖大な排出量を定常的に処理しても、処理物を定常的に使用することが少なく、排出物と処理物の一貫経済活動は無理な場合が多く、排出物を不法投棄することも生じる問題点があった。また、建設排出物を処理する安易な方法としては、自己処理又は適法な投棄があるが、投棄は環境上好ましくない場合が多く、投棄可能な場所が少なくなって、安易な投棄は今後益々社会問題化するおそれがある。
【０００５】
【課題を解決するための手段】
この発明は、建設排出物を処理し、処理物を砂利採掘場に生じた穴の埋め戻し、農地、造成地の有効利用などにより、大量の建設排出物の処理物によるリサイクルに成功したのである。
【０００６】
即ちこの発明は、建設排出物を処理工場に運送し、物理処理又は化学処理して、処理物を埋め戻し用、その他の土木関連土用、田畑用の農材関連土用、建設用材及び工業用水に分離することを特徴とした建設排出物の処理方法であり、建設排出物は、無害で排出元の明確な建設残土、又は建設汚泥とすることを特徴としたものである。また、他の発明は、物理処理は、分級処理、脱水処理、固化処理、分別処理及び精製処理してリサイクルとするものであり、化学処理はｐＨ調整、調質処理又は高分子凝集剤などによる粒状化沈殿とするものである。また前記処理物に固化材を混入してブロックとすることもできる。
【０００７】
次に、他の発明は、砂利、砂の採掘量及びその運送量と各建設現場における排出物の量及び運送量と、前記排出物の処理量及び運送量等をマスターコンピュータに入力蓄積し、前記各運送等を制御配分して過不足なく配送すると共に、建設資材の供給と、砂利穴の埋め戻し、又は埋立造成などの環境整備を系統的、かつ補完的に実施できるようにしたことを特徴とする建設排出物の処理システムである。更に、砂利、砂などの建設資材の運送の復路に、建設排出物を積み込んで処理工場に運送し、該処理工場から出た処理土砂を砂利採掘により生じた穴の埋め戻し現場に運送するものであり、処理工場の余剰処理土砂は、インターネットを介して希望者を募集し、応募者に運送するものである。
【０００８】
また、請求項５記載の処理システムを１ブロックとし、該ブロックの複数ブロックを夫々地域別に立ち上げ、前記複数ブロックの情報収集機構及びコントロール機構を結合して総合情報センターとしたことを特徴とする建設排出物の処理システムである。
【０００９】
前記において、処理物の内容については一定期間毎に検査しこれを発表し、処理の信頼性を保つことが必須要件であるが、砂利の採掘、運送、使用と、建設排出物の処理能力の多寡、運送、埋め戻しの量など、必ずしもスムースでなく、全体を統合、制御しなければ一定の効果を求めることは困難であった。
【００１０】
然るに、この発明によれば、情報の一元化と、指令の一元化により、或いは複数システムの統合により、砂利等の運送と、処理物の運送などをマスターコンピュータに入力し、必要に応じて適宜制御することができる。また、建設排出物に無機系土壌硬化剤を加えてブロックを製造し、これを護岸、法面補強などに使用することにより、処理物の有効利用範囲を拡大することができる。
【００１１】
また、砂利の採掘量は予定通りできるけれども、建設排出物量は、現場の状態により異なる。そこで処理工場において処理物をプールし、また複数ブロックの物流制御、或いはインターネットを介して処理物の希望者を募集して配送すれば、処理業者のもとに過度の処理物の蓄積が生じるおそれはない。
【００１２】
この発明においては、処理工場において、定期的に処理物を検査するので、これに基づき常時安全及び品質管理が行われ、少なくとも規定量以上の有害物の混入は皆無であるから、処理物の取扱業者は安心して取り扱うことができる（遡って責任を追及されるおそれがない）。
【００１３】
また、この発明の建設排出物は原則的に無害なものに限られるが、仮に若干の有害物が含まれた場合であっても、これを適切に処理すれば、無害物と同様に取り扱うことができる。
【００１４】
【発明の実施の形態】
この発明は、建設排出物（例えば無害で排出元の明確な建設地の残土、掘削排土、泥水など）を工場で処理し、有用土砂に品質調整し、排水は工業用水に再使用すると共に、余分の水は浄化して放水するので、建設排出物の処理に当たり有害物を一切排出しない。前記有用土砂は、採砂利場の埋め戻しに使用し、耕地の改善又は埋め立て用土、或いは造成地用に使用することができる。また、砂利の運送の復路に処理土砂を積むことにより運送経済を計ることができる。また、処理土砂については定期的に品質検査し、有害土砂の埋め立てなどを未然に防止し、これにより取扱業者に保証を与えることになる。
【００１５】
この発明は、砂利の採掘、建設工事、建設排出物の工場処理及び処理済物の有効利用の四者を陸運、又は海運をからめ一元的、かつ有機的に結合し、環境保全（環境破壊を防止）サイクルを健全に維持するものである。
【００１６】
【実施例１】
この発明の排出物処理方法の実施例を図１に基づいて説明する。建設現場から産出する無害で排出元の明確な建設排出物の建設残土又は建設汚泥を処理工場に運び、これを分級処理し、改良土として、土木用には砂利採掘場の埋め戻し用、埋立地の土砂用（造成用）、土木補強土用などに使用する。この改良土を地元リサイクル工場に運び、第二次調質加工して埋め戻しその他農材用などに使用する。
【００１７】
また、建設汚泥は、分級処理し、脱水、固化処理を経て改良土を調質加工し、これを地元リサイクル工場に運び第二次調質加工し、地元の土壌として適合可能として、埋め戻し用、その他農林用、田畑用、土壌改良用、農地嵩上げ用として使用する。前記において、地元リサイクル工場からの排出物を地元役場で５０００ｍ３毎の受入検査（無害関係の確認）を行う。
【００１８】
次に、沈殿上澄水（分離水を含む）は、浄水後、工業用水として再利用し、余分は放流する。前記において、シックナーなどにより生じた沈殿土は、改良土として調質加工の後、建設用材として注入材又は粘土材、或いはセメント調合材として使用する。前記のように、建設排出物は悉く有用化し、僅かに余剰水を放水するのみである。また、固化土は、分級処理後、前記脱水・固化処理ラインに入れて同様の処理をする。
【００１９】
前記において、建設排出物が有害の場合には、処理して無害化すれば、前記と同様に使用できる。
【００２０】
【実施例２】
この発明の実施例を運送面及び処理面から、図２に基づいて説明する。建材類（砂利・砂など）の採掘物を陸運により建設港湾物流基地に運び、この基地から海運で建材港湾物流基地に荷揚げし、ついで陸運で都市などの諸開発工事現場（又は生コン工場）へ搬入し、従来と同様に建設に使用される（諸工事へ建材類として搬入される）。
【００２１】
前記建設現場で発生した建設排出物は、陸運で総合リサイクルセンターに運ばれ、各排出物毎に処理されて、処理物は陸運で建材港湾物流基地に運ばれ、ついで海運で建材港湾物流基地に運ばれ、陸運で地元リサイクル工場に運ばれて、必要な処理を行い、再び陸運で砂利・砂の採掘場に運ばれて埋め戻し用に使用される。前記埋め戻し用以外には、耕地用、再開発造成用、その他建材資材の補助材として使用される。
【００２２】
前記地元リサイクル工場では、地元土壌の品質保全として地元土壌に適合するように、用途別に二次調質加工し、使用目的に応じ環境保全を考慮し（地元の承認、保証など必要な措置）、地下水の保全にも配慮して再利用に万全を期す。前記総合リサイクルセンターにおいては、均一で良質なリサイクル資源の安定供給及び現地リサイクル加工の軽減を計るための下地加工（一次調質）を実施する。また、中間処理からリサイクルまでの均一品質保証体制をとって信用を確保すべく、一定期間毎の品質保証（検査表、表１）を発表している。
【００２３】
【表１】
2004000929.tif 000003
【００２４】
自社専用運送ルートを確保して、運送ルートにおける他物の混入を防止している。前記リサイクルの徹底化により排出余剰土量をゼロとして、建設循環システムを完成し、自然環境循環型社会の形成を目途としている。
【００２５】
前記運搬排出物は、総合リサイクルセンターから必要な場所へ運ばれるので、必ずしも１ルートに限定されない。また、陸運・海運共に往復利用すべくコントロールするのは当然である（図３）。
【００２６】
【実施例３】
この発明のシステムの実施例を図３に基づいて説明する。採砂利量、生コン量、建設排出物量は連続的にコントロールセンターのマスターコンピュータに蓄積し、毎日差引して現場における各材の量のを把握しておき、また各現場の建設排出物と、処理工場への運送量、処理土場の処理量などを１日単位で、前記マスターコンピュータに蓄積整理しておくことにより、往路砂利を運送し、復路に排出処理物を運送することによって、運送稼働率を向上し、サイクル経営の合理化を図ることができる。
【００２７】
前記砂利の採掘等は環境破壊に連り、建設残土等の不法投棄も環境破壊に連るが、前記実施例によれば、関係者が有機的に繋り、サイクル稼働によって廃棄物ゼロとなり、却って改良土による埋め戻し、埋め立て、農材用、田畑用、土壌改良用、農地嵩上げ用などの改善により、環境保全から、正に環境育成を通じ、環境の向上を図るものである。
【００２８】
前記において、処理土の再利用に際しては、調質と検査により、無害にすることはもとより調質した土壌の供給により、農地の改善にもなるものである。また、埋め戻し土としても、必要に応じ処理土と自然土（又は砂）を混合することにより、所望の土質に改善することができる。
【００２９】
前記図３（ｂ）の実施例は、図３（ａ）に示すシステムをブロック化して、各地域毎にシステムブロックを立ち上げ、その複数のブロックの情報を総合情報センターに集め、各ブロックにおける建設材（砂利、その他）の過不足、建設排出物の過不足並びに建設排出物の処理物の過不足を勘案し、全国規模でコントロールすれば、総てにおいて順調なシステム運営ができる。
【００３０】
【発明の効果】
この発明は、建設排出物を処理改善するのみならず、これにより排出物ゼロ型の環境改善、サイクル活動による運送の合理化を達成し、処理事業が営業的に成立し得る効果がある。
【図面の簡単な説明】
【図１】この発明の実施例のブロック図。
【図２】同じく運送面の実施例のブロック図。
【図３】（ａ）同じく他の実施例のブロック図。
（ｂ）同じく地域的ブロック化の実施例のブロック図。
【図１】
2004000929.tif 000004
【図２】
2004000929.tif 000005
【図３】
2004000929.tif 000006